(57)【要約】【課題】  自動販売機の扉の施錠システムを強靭化し、容易に開放できないようにするとともに、強制的な破壊等に対しても抵抗力が高まるようにし、しかも操作性を良好にする。【解決手段】  操作部２ａが外部に露出する外鍵２のほか、リモコンキー３により電子的に作動する内鍵４を設け、この内鍵４として、扉５の開放側寄りの上部と下部の二ヶ所にロックユニット１２を設け、内部側の固定金具１４に係脱自在にする。このロックユニット１２として、扉５を閉めると自動的にロック状態になるようにし、リモコンキー３でアンロックできるようにする。また、扉５の前面に表示灯１６を設け、ロックユニット１２がアンロックになると点灯するようにする。【選択図】      図１
2005032022.tif 000002
【特許請求の範囲】
【請求項１】
自動販売機の盗難を防止する装置であって、扉のロック機構として、操作部が外部に露出する外鍵と、操作部が外部に露出しない内鍵を備え、この内鍵は、扉を閉めると自動的にロック状態にされるとともに、このロック状態の解除は、電子的なリモート操作により行われるようにしたことを特徴とする自動販売機の盗難防止装置。
【請求項２】
前記内鍵は、独立のロック機構として複数箇所に設けられることを特徴とする請求項１に記載の自動販売機の盗難防止装置。
【請求項３】
前記自動販売機の扉の前面には、前記内鍵の開放状態を目視で確認できる視覚確認手段が設けられることを特徴とする請求項１又は請求項２に記載の自動販売機の盗難防止装置。
【発明の詳細な説明】
【技術分野】
【０００１】
本発明は、自動販売機から金銭や商品等が盗まれるのを防止するための装置に関する。
【背景技術】
【０００２】
従来、自動販売機の金銭や商品等の盗難を防止する装置として、通常装備のロックハンドル装置によって扉を施錠するだけでは不正破壊等によって簡単に開錠されて盗難等の被害を蒙るため、ロックハンドル装置とは別個に、自動販売機本体と扉との間にロック棒を架け渡し、このロック棒を固定するような扉用補助ロック装置（例えば、特許文献１参照。）とか、扉のロック・アンロックを機械的に行う第１のロック機構のほか、扉のロック・アンロックを電気的に行う第２のロック機構を設け、この第２のロック機構をタイマ等の起動手段で起動させるようにした施錠装置（例えば、特許文献２参照。）等が知られている。
【０００３】
【特許文献１】特開２０００−３２０２１３号公報
【特許文献２】特開平８−２１２４４３号公報
【発明の開示】
【発明が解決しようとする課題】
【０００４】
ところが、前記特許文献１の技術の場合、ハンドルロック装置もロック棒もいずれも外部に露出しているため、ロック機構そのものの不正破壊等に対して抵抗力が弱かった。また、特許文献２の技術の場合、第２のロック機構が第１のロック機構の構成部品を利用するようにされ、第１のロック機構の構成部品の一部を電気的にロック・アンロックするようにしているため、例えばヒンジ部を破壊する等によって、比較的短時間に扉が開放されるという問題があった。
【０００５】
そこで本発明は、自動販売機の扉の施錠システムを強靭化し、容易に開放できないようにするとともに、不正破壊等に対しても抗たん力が高まるようにし、しかも操作性が煩雑化することがないようにすることを目的とする。
【課題を解決するための手段】
【０００６】
上記目的を達成するため本発明は、自動販売機の盗難防止装置において、扉のロック機構として、操作部が外部に露出する外鍵と、操作部が外部に露出しない内鍵を設け、この内鍵は、扉を閉めると自動的にロック状態にされるとともに、このロック状態の解除は、電子的なリモート操作により行われるようにした。
そして、例えば外鍵を基本錠とし、内鍵を補助錠として用いるようにし、扉を開くためには、外鍵を開放するキー操作等を行った後、リモート操作によって内鍵を開けるようにする。また、扉を閉めるときは、扉を閉めて自動的に内鍵をロック状態にした後、外鍵をキー操作等でロックする。すると、内鍵は外部から視認できないため、破壊しようとしても破壊しにくくなると同時に、美観を損ねるような不具合がない。
【０００７】
この際、内鍵は、独立のロック機構として複数箇所に設けることが好ましく、また、自動販売機の扉の前面には、内鍵の開放状態を目視で確認できる視覚確認手段を設けるようにすれば好適である。ここで、視覚確認手段としては、例えば平素は消灯しているが開放時に点灯する表示灯等が適用可能である。
【発明の効果】
【０００８】
外鍵が破壊されても、内鍵がロックされているかぎり扉は開かず、また内鍵の場所が不明なため、扉を破壊するための特殊工具を使用した場合でも、破壊のための時間が長時間となり、破壊そのものの抑止効果がある。また、扉を開く場合でも、外鍵はキー操作等が必要であるが、内鍵は電子的なリモート操作であるため、特に手順が煩雑とならない。また、扉を閉める場合も、内鍵は扉を閉めると同時に自動的にロック状態になるため、外鍵だけの操作となり、従来と同じ手順でロックすることができる。
【０００９】
また、内鍵を独立のロック機構として複数箇所に設ければ、破壊等に対して更に抵抗力を増すことができ、また、扉の前面に内鍵の開放状態を視認できる視覚確認手段を設ければ、例えば、扉を開ける際にトラブルが生じたような場合に、その原因が、内鍵のトラブルか、外鍵のトラブルかの判断をする際の参考になる。
【発明を実施するための最良の形態】
【００１０】
本発明の実施の形態について添付した図面に基づき説明する。
ここで図１は本発明に係る盗難防止装置が適用される自動販売機の外観図、図２は扉を開放した状態の説明図、図３はロックユニットの一例を示す斜視図、図４はロックユニットのロック状態の作用図である。
【００１１】
本発明に係る自動販売機の盗難防止装置は、扉の施錠システムを強靭化し、容易に扉を開放できないようにして防盗性を高めるとともに、不正破壊等に対しても抗たん性を高めるようにし、しかも操作が煩雑化することがないようにされており、基本鍵となる外鍵と補助鍵となる内鍵を組み合わせ、この内鍵の解除を電子的なリモート操作によって行うことを特徴としている。
【００１２】
すなわち、図１、図２に示すように、本自動販売機１は、キー操作等によって機械的にロック、アンロックが行われる外鍵２と、リモコンキー３によって電子的にアンロックが行われる内鍵４を備えており、二重ロック構造にされている。
【００１３】
前記外鍵２は、従来一般に使用されているロック機構であり、扉５の前面には、キーを差し込んで操作する操作部２ａが設けられるとともに、例えば、この操作部２ａにキーを差し込んで操作するとハンドル６が飛び出し、このハンドル６を回すと、図２に示す係合穴８を備えたスライダーが上下方向にスライドし、このスライダーの係合穴８が、自販機本体１０側に固定されるフック具７に係合或いは離脱するようにされている。
そして、これらフック具７や係止穴８は、扉５のヒンジ部９とは反対側の扉５と自販機本体１０の周縁部に、縦方向に沿って一列に設けられている。
【００１４】
前記リモコンキー３は、例えばマイクロスイッチを作動させるためのボタンや、マイクロスイッチの作動によって赤外線や電磁波等を発振する発信機や、電気的回路や、電池等が内蔵されており、以下に述べるコントロールユニット１１に信号を発することができるようにされている。
【００１５】
前記内鍵４は、前記リモコンキー３から発信される赤外線や電磁波等を受信し且つ不図示の電源に接続されるコントロールユニット１１と、このコントロールユニット１１によってロック作動するソレノイド式ロックユニット１２と、このロックユニット１２が係脱自在な略コの字型の固定金具１４を備えており、本実施例の場合、ロックユニット１２は扉５の裏面側に取り付けられ、固定金具１４は自販機本体１０側の内部に設けられている。
そして、このロックユニット１２は、扉５の上部と下部の２箇所に一対設けており、これを単一のコントロールユニット１１で制御するようにしている。
【００１６】
そして、このロックユニット１２の構造の一例は、例えば、図３、図４に示すように、枢支軸１７まわりに揺動自在なロック爪１３を備えており、扉５を閉鎖してロック爪１３が固定金具１４に係合すると、ロック爪１３が自動的にロック側に揺動するとともに、ロック位置まで揺動すると、スプリング等で付勢されるストッパピン１５がロック爪１３の背面部に突出して逆方向への揺動を規制してロック状態になり、コントロールユニット１１から開放信号が流れると、ソレノイド作動によってストッパピン１５がロック爪１３の背面から退避して、ロック爪１３の逆向き揺動規制が解除されるような構造である。
尚、このようなロックユニット１２の構造は例示である。
【００１７】
また、扉５の前面には、ロックユニット１２が開放状態（アンロック状態）になったことを知らせる視覚確認手段としての表示灯１６（図１）が設けられており、例えば、内鍵４のロックを解除すると、表示灯１６が点灯するようにしている。
【００１８】
以上のような自動販売機１のロック機構の作用等について説明する。
操作員が自動販売機１の扉５を開くときは、外鍵２の操作部２ａにキーを差し込んで操作することでハンドル６を飛び出させ、ハンドル６の操作によって係止穴８をフック具７から外す。次いで、操作員はリモコンキー３のボタンを押して内鍵４のロック爪１３をフリーな状態にする。
このとき、ロックユニット１２の開放は、表示灯１６の点灯によって表示されるため、操作員はそれを目視で確認することができる。
【００１９】
外鍵２と内鍵４のロックが解除されると、操作員は扉５のハンドル６を引張ることにより、内鍵４のロック爪１３は開放側に揺動し扉５が開放される。
尚、この開放操作において、例えば扉５が開かなかった場合、操作員は表示灯１６を確認することによって、内鍵４と外鍵２のどちらに原因があるかを容易に判断することができる。
【００２０】
次に、扉５を閉めるときは、扉５の閉鎖と同時に内鍵４は自動的にロックされるため、操作員は扉５を閉めた後、外鍵２の操作部２ａにキーを差し込んで操作するだけで作業が完了する。そして、このような閉鎖手順に伴う操作員の操作は従来となんら変わりなく、手続の煩雑化を招かない。
【００２１】
また、閉鎖状態において、例えば外鍵２が不正破壊された場合にも内鍵４の存在によって扉５を開くことはできず、また、ロック機構すべてを破壊しようと思っても独立した複数箇所に鍵があり、しかも内鍵４の存在の有無や、ロックユニット１２の場所等は外部から視認できないため、簡単に破壊することはできず、しかも、複数箇所の鍵が、扉５の開放側の上部と側部と下部に配置されて隙間が少ないため、ヒンジ破壊による扉５の開放も困難である。
【００２２】
尚、リモコンキー３とコントロールユニット１１の組み合わせとしては、例えば自動販売機ごと、または管理者ごとに固有のＩＤ番号を付与するようにすれば、セキュリティーの確保が図られて好適である。また、リモコンキー３を紛失した場合でも再発行が可能であるようにすれば便利である。
【００２３】
尚、本発明は以上のような実施形態に限定されるものではない。本発明の特許請求の範囲に記載した事項と実質的に同一の構成を有し、同一の作用効果を奏するものは本発明の技術的範囲に属する。
例えばロックユニット１１や固定金具１４等の具体的な構成は任意であり、自動販売機１の種類等も任意である。
また、内鍵４にタイマーを連動させることで、例えば、誤ってリモコンキー３が開放側に操作された場合、例えば１分程度の所要時間が経過すると、自動的にロック状態に戻るようにしても良く、または、タイマーにより、昼間は内鍵４のロックが外れて操作員の開閉作業の邪魔にならないようにし、夜間の一定時間だけロック状態になるようにしても良い。
【産業上の利用可能性】
【００２４】
自動販売機の扉のロック機構として、メインとなる外鍵のほかに補助的な内鍵を設け、この内鍵を外部に露出させないで電子的なリモート操作により開かせるようにするとともに、扉を閉鎖すると内鍵が自動的にロック状態になるようにすることで、防盗性を高め、且つ操作性を良好にする。
【図面の簡単な説明】
【００２５】
【図１】本発明に係る盗難防止装置が適用される自動販売機の外観図
【図２】扉を開放した状態の説明図
【図３】ロックユニットの一例を示す斜視図
【図４】ロックユニットのロック状態の作用図
【符号の説明】
【００２６】
１…自動販売機、２…外鍵、３…リモコンキー、４…内鍵、５…扉、１２…ロックユニット、１４…固定金具、１６…表示灯。
【図１】
2005032022.tif 000003
【図２】
2005032022.tif 000004
【図３】
2005032022.tif 000005
【図４】
2005032022.tif 000006
【手続補正書】
【提出日】平成16年9月13日(2004.9.13)
【手続補正１】
【補正対象書類名】特許請求の範囲
【補正対象項目名】全文
【補正方法】変更
【補正の内容】
【特許請求の範囲】
【請求項１】
自動販売機の盗難を防止する装置であって、一つの扉をロックするロック機構として、操作部が外部に露出する外鍵と、操作部が外部に露出しない内鍵を備え、この内鍵は、扉を閉めると自動的にロック状態にされるとともに、このロック状態の解除は、電子的なリモート操作により行われるようにしたことを特徴とする自動販売機の盗難防止装置。
【請求項２】
前記内鍵は、独立のロック機構として複数箇所に設けられることを特徴とする請求項１に記載の自動販売機の盗難防止装置。
【請求項３】
前記自動販売機の扉の前面には、前記内鍵の開放状態を目視で確認できる視覚確認手段が設けられることを特徴とする請求項１又は請求項２に記載の自動販売機の盗難防止装置。
【手続補正２】
【補正対象書類名】明細書
【補正対象項目名】０００６
【補正方法】変更
【補正の内容】
【０００６】
上記目的を達成するため本発明は、自動販売機の盗難防止装置において、一つの扉をロックするロック機構として、操作部が外部に露出する外鍵と、操作部が外部に露出しない内鍵を設け、この内鍵は、扉を閉めると自動的にロック状態にされるとともに、このロック状態の解除は、電子的なリモート操作により行われるようにした。
そして、例えば外鍵を基本錠とし、内鍵を補助錠として用いるようにし、扉を開くためには、外鍵を開放するキー操作等を行った後、リモート操作によって内鍵を開けるようにする。また、扉を閉めるときは、扉を閉めて自動的に内鍵をロック状態にした後、外鍵をキー操作等でロックする。すると、内鍵は外部から視認できないため、破壊しようとしても破壊しにくくなると同時に、美観を損ねるような不具合がない。